(57)【要約】【課題】アンテナの受信電波の電界強度を計測をせずに良好な通信感度を得ることのできるアンテナを選択でき、計測するために使用する電力を節約できるようにする。【解決手段】受信電波の電界強度の大きいアンテナを選択して使用するダイバシティ方式の携帯電話装置において、携帯電話装置を操作する操作キー４と、操作キー４から遠い位置に配置した第１アンテナ１と、操作キー４の近くに配置した第２アンテナ２とを有し、アンテナ選択手段３により、操作キー４のキー信号を検出したときには第１アンテナ１を選択する。【選択図】      図１
2004260563.tif 000002
【特許請求の範囲】
【請求項１】
受信電波の電界強度の大きいアンテナを選択して使用するダイバシティ方式の携帯電話装置において、
自携帯電話装置を操作する操作キーと、
前記操作キーから遠い位置に配置した第１アンテナと、
前記操作キーの近くに配置した第２アンテナと、
前記操作キーのキー信号を検出したときには第１アンテナを選択するアンテナ選択手段と、
を備えたことを特徴とする携帯電話装置。
【請求項２】
前記アンテナ選択手段は、
前記操作キーの前記キー信号を検出して前記第１アンテナを選択した後に予め定めた時間前記キー信号を検出しないときに、前記第１アンテナと前記第２アンテナとのうちの受信電波の電界強度の大きいアンテナを選択するようにしたことを特徴とする請求項１記載の携帯電話装置。
【請求項３】
前記第２アンテナは、操作者が前記操作キーを操作するときに前記操作者の手で覆われる位置に設定されることを特徴とする請求項１又は２記載の携帯電話装置。
【請求項４】
前記第１アンテナは、操作者が前記操作キーを操作するときに前記操作者の手で覆われない位置に設定されることを特徴とする請求項１、２又は３記載の携帯電話装置。
【請求項５】
受信電波の電界強度の大きいアンテナを選択して使用するダイバシティ方式の携帯電話装置において、
自携帯電話装置を操作する第１の操作キーと、
前記第１の操作キーから遠い位置に配置した第１アンテナと、
前記第１の操作キーの近くに配置した第２アンテナと、
自携帯電話装置の筐体を握ったことを検出する第２の操作キーと、
通話中に前記第２の操作キーの第２のキー信号を検出したときには、前記第２アンテナを選択するアンテナ選択手段と、
を備えたことを特徴とする携帯電話装置。
【請求項６】
前記アンテナ選択手段は、
前記第２の操作キーからの前記第２のキー信号を検出して前記第２アンテナを選択した後に予め定めた時間前記第２のキー信号を検出しないときに、前記第１アンテナと前記第２アンテナとのうちの受信電波の電界強度の大きいアンテナを選択するようにしたことを特徴とする請求項５記載の携帯電話装置。
【請求項７】
前記第２アンテナは、通話中は操作者の手で覆われない位置に設定されることを特徴とする請求項５又は６記載の携帯電話装置。
【請求項８】
前記第２アンテナは、自携帯電話装置の筐体内に設置した内蔵アンテナであることを特徴とする請求項１から７の何れか１項に記載の携帯電話装置。
【発明の詳細な説明】
【０００１】
【発明の属する技術分野】
本発明は携帯電話装置に関し、特に受信電波の電界強度の大きいアンテナを選択して使用するダイバシティ方式の携帯電話装置に関する。
【０００２】
【従来の技術】
従来、この種の携帯電話装置は、良好な通信感度を得るために予め二つのアンテナを備え、これらのアンテナのうちの受信電波の電界強度の大きい方のアンテナを選択して使用するようにしている。このとき、携帯電話装置を使用している使用者のこの携帯電話装置の持ち方等の携帯電話装置と使用者との位置関係に関わらず、二つのアンテナの受信電波の電界強度を計測し、計測結果の大きい方のアンテナを選択して使用するようにしている。
【０００３】
また、バインディング型手帳との携帯性を向上させるとともに、内蔵アンテナと外付けアンテナのうち受信電界強度の大きい方のアンテナを自動選択して通信感度の良好な携帯型の無線通信装置を得るようにしているものもある（例えば、特許文献１参照）。
【０００４】
【特許文献１】
特開平１０−３０８７０１号公報（請求項１、図７）
【０００５】
【発明が解決しようとする課題】
上述した従来の携帯電話装置は、良好な通信感度を得るために、携帯電話装置を使用している使用者のこの携帯電話装置の持ち方等の携帯電話装置と使用者との位置関係に関わらず、二つのアンテナの受信電波の電界強度を計測し、計測結果の大きい方のアンテナを選択して使用するようにしている。このため、携帯電話装置と使用者との位置関係に関わらず、常に、それぞれのアンテナの受信電波の電界強度を計測する必要があるという問題がある。また、携帯電話装置と使用者との位置関係に関わらず、常に、それぞれのアンテナの受信電波の電界強度を計測する必要があるため、計測するための消費電力が掛かるという問題がある。
【０００６】
本発明の目的はこのような従来の欠点を除去するため、携帯電話装置の持ち方等の携帯電話装置と使用者との位置関係によって、それぞれのアンテナの受信電波の電界強度を計測をせずに良好な通信感度を得ることのできるアンテナを選択でき、計測するために使用する電力を節約できる携帯電話装置を提供することにある。
【０００７】
【課題を解決するための手段】
本発明の第１の携帯電話装置は、受信電波の電界強度の大きいアンテナを選択して使用するダイバシティ方式の携帯電話装置において、
自携帯電話装置を操作する操作キーと、
前記操作キーから遠い位置に配置した第１アンテナと、
前記操作キーの近くに配置した第２アンテナと、
前記操作キーのキー信号を検出したときには第１アンテナを選択するアンテナ選択手段と、
を備えて構成されている。
【０００８】
また、本発明の第１の携帯電話装置の前記アンテナ選択手段は、前記操作キーの前記キー信号を検出して前記第１アンテナを選択した後に予め定めた時間前記キー信号を検出しないときに、前記第１アンテナと前記第２アンテナとのうちの受信電波の電界強度の大きいアンテナを選択するようにしている。
【０００９】
本発明の第２の携帯電話装置は、受信電波の電界強度の大きいアンテナを選択して使用するダイバシティ方式の携帯電話装置において、
自携帯電話装置を操作する第１の操作キーと、
前記第１の操作キーから遠い位置に配置した第１アンテナと、
前記第１の操作キーの近くに配置した第２アンテナと、
自携帯電話装置の筐体を握ったことを検出する第２の操作キーと、
通話中に前記第２の操作キーの第２のキー信号を検出したときには、前記第２アンテナを選択するアンテナ選択手段と、
を備えて構成されている。
【００１０】
また、本発明の第２の携帯電話装置の前記アンテナ選択手段は、前記第２の操作キーからの前記第２のキー信号を検出して前記第２アンテナを選択した後に予め定めた時間前記第２のキー信号を検出しないときに、前記第１アンテナと前記第２アンテナとのうちの受信電波の電界強度の大きいアンテナを選択するようにしている。
【００１１】
【発明の実施の形態】
次に、本発明の実施の形態について図面を参照して説明する。
【００１２】
図１は、本発明の携帯電話装置の第１の実施の形態を示すブロック図である。
【００１３】
図１に示す本実施の形態は、携帯電話装置を操作する操作キー４と、操作キー４から遠い位置に配置した第１アンテナ１と、操作キー４の近くに配置した第２アンテナ２と、操作キー４のキー信号を検出したときには第１アンテナ１を選択するアンテナ選択手段３と、操作キー４のキー信号を受け第１アンテナ１又は第２アンテナ２を介して送受信する通信手段５とにより構成されている。
【００１４】
アンテナ選択手段３は、操作キー４のキー信号を検出して第１アンテナ１を選択した後に予め定めた時間Ａ（例えば、１０ｓｅｃ。この値にこだわることなく、システムにより適宜変更して良い。）キー信号を検出しないときに、通常のダイバシティ方式の制御に戻り第１アンテナ１と第２アンテナ２とのうちの受信電波の電界強度の大きいアンテナを選択する。
【００１５】
次に、本実施の形態の携帯電話装置の動作を図２，図３，図４及び図５を参照して詳細に説明する。
【００１６】
図２は、本発明の第１の実施の形態の具体例の一例を示すブロック図であり、プログラムを格納したメモリ１０と、メモリ１０に格納したプログラムにより動作するＣＰＵ１１（中央処理装置，プロセッサ，データ処理装置等）と、表示部９と、操作キー４と、予め定めた時間Ａ経過するとタイムアップ信号をＣＰＵ１１に通知するタイマー８と、通話のための音声信号を処理する音声制御部１２と、無線通信を制御する無線部６と、第１アンテナ１と、第２アンテナ２と、アンテナを切り替えるアンテナ切り替え器７とからなる。
【００１７】
ここで、メモリ１０、ＣＰＵ１１、表示部９、タイマー８、音声制御部１２及び無線部６の一部が、図１の通信手段５に相当し、無線部６の他部及びアンテナ切り替え器７が、図１のアンテナ選択手段３に相当する。
【００１８】
図３は、携帯電話装置の表側の一例を示す外観図であり、ホイップアンテナ等の第１アンテナ１、内蔵アンテナ等の第２アンテナ２、操作キー４、ＬＣＤ等の表示部９等を備えている。
【００１９】
図４は、図２で示す具体例の動作の一例を説明する図であり、第１の状態からステップ１〜ステップ４を経て第２の状態になり、第２の状態からステップ５〜ステップ１１を経て第１の状態に戻る例を示している。
【００２０】
ここで、第１の状態は通常のダイバシティ方式の制御によりアンテナを選択する状態を示し、この状態では、第１アンテナ１と第２アンテナ２との受信電波の電界強度を無線部６で計測し、電界強度の大きい方のアンテナにアンテナ切り替え器７により切り換える。第２の状態は、指定したアンテナを強制的に使用する状態を示す。
【００２１】
図５は、図３で示す操作キー４を操作しているところの一例を示す図であり、操作者が操作キー４を操作するときに、第２アンテナ２が操作者の手で覆われていることを示している。また、第１アンテナ１は、操作者が操作キー４を操作するときに操作者の手で覆われない位置に設定されている。
【００２２】
図２において、図４に示すように通常のダイバシティ方式の制御によりアンテナを選択する状態を示す第１の状態のときに、図５で示すように操作者により操作キー４が押されると操作キー４からＣＰＵ１１にキー信号が伝えられる（図４のステップ１）。次に、ＣＰＵ１１はタイマー８をリセットする（図４のステップ２）。また、ＣＰＵ１１は無線部６に対して強制的に第１アンテナ１を使用するように指示する（図４のステップ３）。無線部６は第１アンテナ１を使用するようにアンテナ切り替え器７を設定する（図４のステップ４）。
【００２３】
このように、操作キー４のキー信号を検出したときには、良好な通信感度を得るために、操作キー４の近くに配置した操作者の手で覆われた可能性のある第２アンテナ２を選択せずに強制的に第１アンテナ１を選択する。
【００２４】
図４のステップ４により第２の状態になる。そして、図４のステップ５、ステップ７のように予め定めた時間Ａよりも小さな時間間隔でＣＰＵ１１にキー信号の入力がある場合、それぞれ図４のステップ６、ステップ８で、ＣＰＵ１１はタイマー８をリセットする。タイマー８はリセットされてから予め定めた時間Ａ経過すると、一定時間Ａの間操作キー４の操作がないと想定して、タイムアップ信号をＣＰＵ１１に通知する（図４のステップ９）。ＣＰＵ１１はこの通知により、第２アンテナ２が操作者の手で覆われた図５で示す状態が解除されたと判断し、無線部６に受信電波の電界強度を計測し電界強度の大きい方のアンテナに切り換える通常の切り換え方式を指示する（図４のステップ１０）。無線部６は、第１アンテナ１と第２アンテナ２との受信電波の電界強度を計測し、電界強度の大きい方のアンテナを選択しこのアンテナに切り換えるようアンテナ切り替え器７を設定する（図４のステップ１１）。これにより第１の状態になる。
【００２５】
このように、第２の状態では、無線部６は、ＣＰＵ１１から通常の切り換え方式の指示を受けるまで、第１アンテナ１と第２アンテナ２との受信電波の電界強度を計測しないので、計測するために使用する電力を節約できる。また、操作キー４の操作時に第２アンテナ２を使用しないので、操作者の人体への電波吸収量を減らすことができる。
【００２６】
図６は、本発明の携帯電話装置の第２の実施の形態を示すブロック図である。
【００２７】
図６に示す本実施の形態は、携帯電話装置を操作する第１の操作キー１４と、第１の操作キー１４から遠い位置に配置した第１アンテナ１と、第１の操作キー１４の近くに配置した第２アンテナ２と、携帯電話装置の筐体を握ったことを検出する第２の操作キー１５と、通話中に第２の操作キー１５の第２のキー信号を検出したときには第２アンテナ２を選択するアンテナ選択手段１３と、第１の操作キー１４の第１のキー信号を受け第１アンテナ１又は第２アンテナ２を介して送受信する通信手段１６とにより構成されている。
【００２８】
アンテナ選択手段１３は、第２の操作キー１５の第２のキー信号を検出して第２アンテナ２を選択した後に予め定めた時間Ａ（例えば、１０ｓｅｃ。この値にこだわることなく、システムにより適宜変更して良い。）第２のキー信号を検出しないときに、通常のダイバシティ方式の制御に戻り第１アンテナ１と第２アンテナ２とのうちの受信電波の電界強度の大きいアンテナを選択する。
【００２９】
次に、本実施の形態の携帯電話装置の動作を図７、図８及び図９を参照して詳細に説明する。
【００３０】
図７は、本発明の第２の実施の形態の具体例の一例を示すブロック図であり、プログラムを格納したメモリ１０と、メモリ１０に格納したプログラムにより動作するＣＰＵ１８（中央処理装置，プロセッサ，データ処理装置等）と、表示部９と、第１の操作キー１４と、第２の操作キー１５と、予め定めた時間Ａ経過するとタイムアップ信号をＣＰＵ１８に通知するタイマー８と、通話のための音声信号を処理する音声制御部１２と、無線通信を制御する無線部１７と、第１アンテナ１と、第２アンテナ２と、アンテナを切り替えるアンテナ切り替え器７とからなる。
【００３１】
ここで、メモリ１０、ＣＰＵ１８、表示部９、タイマー８、音声制御部１２及び無線部１７の一部が、図６の通信手段１６に相当し、無線部１７の他部及びアンテナ切り替え器７が、図６のアンテナ選択手段１３に相当する。
【００３２】
図８は、携帯電話装置の裏側の一例を示す外観図であり、ホイップアンテナ等の第１アンテナ１、内蔵アンテナ等の第２アンテナ２、第２の操作キー１５等を備えている。この携帯電話装置の表側は例えば図３と同じである（但し、図３の操作キー４を第１の操作キー１４とする）。第２アンテナ２は、通話中に操作者が携帯電話装置全体を握りしめた場合、操作者の手で覆われない位置に設定される。
【００３３】
図９は、図７で示す具体例の動作の一例を説明する図であり、第１の状態からステップ２１〜ステップ２４を経て第２の状態になり、第２の状態からステップ２５〜ステップ３１を経て第１の状態に戻る例を示している。
【００３４】
ここで、第１の状態と第２の状態とは、第１の実施例の図４のものと同じである。
【００３５】
図７において、図９に示すように第１の状態のときに、通話中の場合、操作者により第２の操作キー１５が押されると第２の操作キー１５からＣＰＵ１８に第２のキー信号が伝えられる（図９のステップ２１）。次に、ＣＰＵ１８はタイマー８をリセットする（図９のステップ２２）。また、ＣＰＵ１８は無線部１７に対して強制的に第２アンテナ２を使用するように指示する（図９のステップ２３）。無線部１７は第２アンテナ２を使用するようにアンテナ切り替え器７を設定する（図９のステップ２４）。
【００３６】
通話中に第２の操作キー１５が操作されると、操作者の手の位置は携帯電話装置全体を握りしめたようになり第２アンテナ２（内蔵アンテナ）が操作者の手で覆われていないと想定される。一方、一般的に第１の操作キー１４から遠い位置（第１アンテナ１に近い位置）に受話部（不図示）が設定されるので、通話中のときには、操作者の頭部は受話部に近い第１アンテナ１の近くにあると想定される。このため、良好な感度を得るために第２アンテナ２を使用するようにアンテナ切り替え器７を設定すると第２アンテナ２により良好な感度が得られるとともに、第１アンテナ１を使用しないので、操作者の頭部への電波吸収量を減らすことができる。
【００３７】
図９のステップ２４により第２の状態になる。そして、図９のステップ２５、ステップ２７のように予め定めた時間Ａよりも小さな時間間隔でＣＰＵ１８に第２のキー信号の入力がある場合、それぞれ図９のステップ２６、ステップ２８で、ＣＰＵ１８はタイマー８をリセットする。タイマー８はリセットされてから予め定めた時間Ａ経過すると、一定時間Ａの間第２の操作キー１５の操作がないと想定して、タイムアップ信号をＣＰＵ１８に通知する（図９のステップ２９）。ＣＰＵ１８はこの通知により、操作者の手が第２の操作キー１５から離れ、携帯電話装置全体を握りしめていないと想定し、無線部１７に受信電波の電界強度を計測し電界強度の大きい方のアンテナに切り換える通常の切り換え方式を指示する（図９のステップ３０）。無線部１７は、第１アンテナ１と第２アンテナ２との受信電波の電界強度を計測し、電界強度の大きい方のアンテナを選択しこのアンテナに切り換えるようアンテナ切り替え器７を設定する（図９のステップ３１）。これにより第１の状態になる。
【００３８】
このように、第２の状態では、無線部１７は、ＣＰＵ１８から通常の切り換え方式の指示を受けるまで、第１アンテナ１と第２アンテナ２との受信電波の電界強度を計測しないので、計測するために使用する電力を節約できる。また、通話中において第２の操作キー１５の操作時に第１アンテナ１を使用しないので、操作者の頭部への電波吸収量を減らすことができる。
【００３９】
【発明の効果】
以上説明したように、本発明の携帯電話装置によれば、受信電波の電界強度の大きいアンテナを選択して使用するダイバシティ方式の携帯電話装置において、携帯電話装置を操作する操作キーと、操作キーから遠い位置に配置した第１アンテナと、操作キーの近くに配置した第２アンテナとを有し、アンテナ選択手段により、操作キーのキー信号を検出したときには第１アンテナを選択するため、操作キーのキー信号を検出したときには、良好な通信感度を得るために、操作キーの近くに配置した操作者の手で覆われた可能性のある第２アンテナを選択せずに強制的に第１アンテナを選択するので、携帯電話装置の持ち方等の携帯電話装置と使用者との位置関係によって、それぞれのアンテナの受信電波の電界強度を計測をせずに良好な通信感度が得られるアンテナを選択できる。
【００４０】
また、操作キーのキー信号を検出したときには、アンテナの受信電波の電界強度を計測しなくてもよいので、アンテナの受信電波の電界強度を計測するために使用する電力を節約できる。
【００４１】
更に、操作キーの操作時には第２アンテナを使用しないため、操作キーを操作している操作者に近い第２アンテナの電波の人体への照射がないので、人体への電波吸収量を減らすことができる。
【図面の簡単な説明】
【図１】本発明の携帯電話装置の第１の実施の形態を示すブロック図である。
【図２】本発明の第１の実施の形態の具体例の一例を示すブロック図である。
【図３】携帯電話装置の表側の一例を示す外観図である。
【図４】図２で示す具体例の動作の一例を説明する図である。
【図５】図３で示す操作キーを操作しているところの一例を示す図である。
【図６】本発明の携帯電話装置の第２の実施の形態を示すブロック図である。
【図７】本発明の第２の実施の形態の具体例の一例を示すブロック図である。
【図８】携帯電話装置の裏側の一例を示す外観図である。
【図９】図７で示す具体例の動作の一例を説明する図である。
【符号の説明】
１    第１アンテナ
２    第２アンテナ
３    アンテナ選択手段
４    操作キー
５    通信手段
６    無線部
７    アンテナ切り替え器
８    タイマー
９  表示部
１０    メモリ
１１    ＣＰＵ
１２    音声制御部
１３    アンテナ選択手段
１４    第１の操作キー
１５    第２の操作キー
１６    通信手段
１７    無線部
１８    ＣＰＵ
【図１】
2004260563.tif 000003
【図２】
2004260563.tif 000004
【図３】
2004260563.tif 000005
【図４】
2004260563.tif 000006
【図５】
2004260563.tif 000007
【図６】
2004260563.tif 000008
【図７】
2004260563.tif 000009
【図８】
2004260563.tif 000010
【図９】
2004260563.tif 000011